(57)【要約】【課題】情報端末の表示画面に入力画面を表示し、覗き見されたくないデータを入力する際に入力者が特定の色を遮断するメガネ形状の透視フィルターを装着して入力する覗き見防止機能付き入力画面及び入力方法を提供することを目的とする。【解決手段】前記課題の目的を達成するために、少なくとも入力部と、表示部を有する情報端末の前記表示部に、情報を入力するために表示する入力画面であって、前記入力画面は複数の入力枠を有し前記複数の入力枠には入力部から入力された情報が所定のフィルターを介してのみ識別することができる入力枠を含む覗き見防止機能付き入力画面及び入力方法を提供する。【選択図】  図１
2005301367.tif 000002
【特許請求の範囲】
【請求項１】
少なくとも入力部と、表示部を有する情報端末の前記表示部に、情報を入力するために表示する入力画面であって、
前記入力画面は複数の入力枠を有し、前記複数の入力枠には入力部から入力された情報が所定のフィルターを介してのみ識別することができる入力枠を含むことを特徴とする覗き見防止機能付き入力画面。
【請求項２】
請求項１に記載の覗き見防止機能付き入力画面において、フィルターは複数用意され、入力画面は選択されたフィルターに対応可能な選択肢が表示されることを特徴とする覗き見防止機能付き入力画面。
【請求項３】
請求項１〜２何れかに記載の覗き見防止機能付き入力画面の入力方法であって、フィルターは複数用意され、入力手段によって選択的に使用されることを特徴とする覗き見防止機能付き入力画面の入力方法。
【請求項４】
請求項３に記載の覗き見防止機能付き入力画面の入力方法において、フィルターはメガネ形状を成すことを特徴とする覗き見防止機能付き入力画面の入力方法。
【発明の詳細な説明】
【技術分野】
【０００１】
本発明は、覗き見されたくない入力情報を覗き見から護る覗き見防止機能付き入力画面と入力方法に関する。
【背景技術】
【０００２】
従来、コンピュータの入力画面に情報を入力すると入力されたデータは、そのまま可視状態で表示される。
また、入力済の情報は、そのページに入力が終わるまで画面に表示されているために画面の横、または、後ろにいる人は入力された情報を覗き見することができた。
そこで、パスワードなど、他人に知られたくないデータは、特別にプログラムされた入力枠に入力させて、入力されたデータを画面表示させないように、メモリ上や隠し領域に一時格納し、画面上には入力された文字と同じ長さのマークや、記号などで表示する技術が利用されている。
この技術を用いた入力欄では、一度変換されて表示された文字は、元のデータに戻すことができない。
上述のように第三者が入力者の横，後ろから覗いても入力内容を知ることはできないが、一方では、入力者本人も入力後入力内容を確認したり、他の欄で入力を行うために参照しようとしても、画面上は変換された文字列しか表示されず、入力データの内容を見ることはできない。しかし、マークや、記号などで入力データを表示する方法は、入力欄の数が多い場合や、他の欄の入力内容を参照して入力する内容が多い場合などに対しては、機密性は高いが利便性に問題があった。
【０００３】
更に、このような問題を解決する技術として、例えば、情報を表示している画面に可視範囲を狭める光学偏向板を取り付け、利用者以外からの覗き見を防止する技術が開示されている（特許文献１参照）が、これも利用者の真後ろなど画面の正面方向からの覗き見に対しては効果がなく、問題がある。
【０００４】
上述のような理由によって、銀行や役所など不特定多数の人が集まる場所では、覗き見による情報漏洩の危険性があることから、共用の入力端末が使用できず、申請事項や、届け出事項は、所定の申請用紙に記入して提出している。
【０００５】
【特許文献１】特開２００１−２２８９７０号公報
【発明の開示】
【発明が解決しようとする課題】
【０００６】
そこで本発明は、入力端末の表示画面に入力画面を表示し、覗き見されたくないデータを入力する際に入力者が特定の色を遮断するメガネ形状の透視フィルターを装着して入力する覗き見防止機能付き入力画面及び入力方法を提供することを目的とする。
【課題を解決するための手段】
【０００７】
前記課題の目的を達成するために、本発明の請求項１に記載の発明の覗き見防止機能付き入力画面は、少なくとも入力部と、表示部を有する情報端末の前記表示部に、情報を入力するために表示する入力画面であって、前記入力画面は複数の入力枠を有し前記複数の入力枠には入力部から入力された情報が所定のフィルターを介してのみ識別することができる入力枠を含むことを特徴とするものである。
【０００８】
また、請求項２に記載の発明は、請求項１に記載の発明において、フィルターは複数用意され、入力画面は選択されたフィルターに対応可能な選択肢が表示されることを特徴とするものである。
【０００９】
また、請求項３に記載の発明は、請求項１〜２何れかに記載の覗き見防止機能付き入力画面の入力方法であって、フィルターは複数用意され、入力手段によって選択的に使用されることを特徴とするものである。
【００１０】
また、請求項４に記載の発明は、請求項３に記載の発明において、フィルターはメガネ形状を成すことを特徴とするものである。
【発明の効果】
【００１１】
本発明の覗き見防止機能付き入力画面及び入力方法によって、覗き見されたくない部分とそれ以外の部分でデータの表示方法を変えることが可能となり、機密データ入力領域では、フィルターを通さずに見た場合は正しく意味を読み取れないが、入力者が装着するフィルターを通して見たときに認識可能なデータとして見ることができる。
また、覗き見されたくない機密データ以外のデータや、説明部分等に関しては、フィルターの有無に係わらず読み取り可能とすることができる。
また、入力中にデータを覗き見しようとすると、入力者と同じ色のフィルターを装着する必要があり、入力者以外にフィルターを装着しているものがいなければ入力者は安心して入力作業を行うことができる。
【発明を実施するための最良の形態】
【００１２】
以下、図面を参照して、本発明の覗き見防止機能付き入力画面及び入力方法について説明する。
図１は、本発明の覗き見防止機能付き入力画面及び入力方法について説明するための図，図２は、入力画面の全体構成について説明するための図，図３は、フィルター付きメガネを装着して（以下「掛ける」という。）入力画面に向い、指定ボタンを押して入力を開始した時の、入力枠の一例について説明するための図，図４は、フィルター付きメガネを掛けて入力画面に向い、指定ボタンを押して入力を開始した時の入力枠の、他の一例について説明するための図，図５は、フィルター付きメガネを掛けて入力画面に向い、指定ボタンを押して入力を開始した時の入力枠の、他の一例について説明するための図である。
【００１３】
図１を参照して、本発明の覗き見防止機能付き入力画面、及び、入力方法について説明する。
パーソナルコンピュータなどの情報端末（図示せず）は、図１に示すディスプレイなどの表示部１と、入力部３を有する。入力部は、多くはキーボードや、マウスなどの外付けデバイスである。
図１に示す入力枠２は、表示部１に表示された表示画面１０の、覗き見されたくない入力枠を拡大して示したものである。
入力枠２の右下部には、後述のフィルター付きメガネ１１０〜１３０によって選択される指定ボタンＸ，Ｙ，Ｚ１２が表示されている。
また、入力者がデータ入力の際に掛けるフィルター付きメガネが複数準備されている。フィルター付きメガネは、入力枠２に入力されるデータに対応して、例えば、表示色１１に対応したフィルター付きメガネとして、フィルターＸ付きメガネ１１０，フィルターＹ付きメガネ１２０，フィルターＺ付きメガネ１３０が準備される。
【００１４】
入力者は、覗き見されたくない入力枠に対応したフィルター付きメガネを選択して顔に掛けて、入力部３によって入力作業を開始する。
【００１５】
入力枠２は、図１に示すようにダミー表示色で表示されたダミー表示パターンＡ１１１，ダミー表示パターンＢ１１２，表示パターンを示す表示色１１を混在させて表示されている。
表示色１１は、入力枠２の中央部に表示され、ダミー表示色で表示されたダミー表示パターンＡ１１１，Ｂ１１２は、表示色１２を取り囲むように配置、表示されている。
入力枠２の中は、通常の裸眼では複数の色で形成された「意味不明パターン」の集合体として識別される。
【００１６】
図２を参照して、入力画面の全体構成について説明する。
図２は、例えば、クレジットカード等の入会申込書の初期入力画面の一例である。
表示部１の入力画面は、入力項目２１０と、入力枠２１〜２４と、入力に際しての注意事項２００、その他表示していないが、背景デザインで構成されている。
クレジットカード等の入会申込書の初期入力画面は、入力項目として暗証番号，氏名，氏名に対応する住所、及び、それぞれの入力項目に対応する入力枠２２〜２４，注意事項２００が表示されている。
全ての必要項目の入力が完了し、確認ボタン（表示せず）が押されると、自動的に会員番号が与えられ、入力枠２１に表示される。
【００１７】
入力者は、入力作業中はフィルター付きメガネを掛けながら各入力項目を入力する。
会員番号，暗証番号，住所などの入力枠の内側は、前述の「意味不明パターン」で表示されている。少なくとも暗証番号入力枠の中は、「意味不明パターン」で表示される。
「会員番号」，「暗証番号」，「氏名」，「住所」等の表示文字、及び、「注意事項」の記載欄は、フィルター付きメガネを通しても裸眼で見ても判別可能な墨文字で表示される。
これらの入力枠の表示方法は、フィルター付きメガネを掛けた入力者の選択によって、「意味不明パターン」で表示するか否かが決定される。
選択のための指定ボタン（表示せず）は、各入力枠の近傍に形成される。
【００１８】
図３，図４，図５を参照して、フィルター付きメガネを掛けて入力画面に向い、指定ボタンを押して入力を開始した時の、入力枠の一例について説明する。
上述のフィルター付きメガネのフィルター色は、入力画面の表示色に対して補色となっていて、周りの背景色より入力データが濃く認識され、入力データとして区別して識別することができる。
例えば、メガネのフィルター色が黄色であれば表示色は青，メガネのフィルター色が水色であれば表示色は赤，メガネのフィルター色がライトグリーン色であれば表示色は紫となる。
補色関係であれば、上述の組合せに拘るものではない。
メガネのフィルター色は、表示された文字や記号を明確に読取る都合上、可能な限り薄い色とし、画面全体が明るく認識されるようにする。
【００１９】
図３を参照して、フィルター付きメガネを掛けて入力画面に向い、指定ボタンを押して入力を開始した時の、入力枠の一例について説明する。
図３は、図１の表示部の入力画面に対し、フィルターＺ付きメガネ１３０を掛けて入力枠２を見たときの入力枠周辺の状態である。
入力枠の周辺には、表示色１１の指定ボタン１２が表示されている。
指定ボタン１２は、準備されたフィルター付きメガネの種類の数表示される。
図３では、入力者はフィルターＺ付きメガネ１３０を選択したため、このメガネを掛けた入力者の目には、表示枠２の右下部に表示された指定ボタン１２の中の「Ｚ」ボタンが濃く認識される。
【００２０】
フィルターＺ付きメガネを掛けた入力者は、まず、濃く表示された指定ボタン「Ｚ」を選択してクリックする。入力者にとっては、他の指定ボタン「Ｘ」，「Ｙ」の存在は識別されるが「Ｚ」ほど明確には識別されない。
入力者は、マウスによって指定ボタン１２の中の「Ｚ」をクリックした後、濃く表示された入力枠２に、例えば、覗き見されたくない項目のデータを入力する。
入力以前は、入力枠２の中は「意味不明なパターン」が表示されていたが、覗き見されたくない項目のデータの入力を開始すると、入力枠には「ＡＢＣＤＥＦＧ」と、キーボードから入力されたデータそのものが、指示ボタン１２と同一の濃度で表示される。
キーボードから入力され、入力枠に表示されたデータ「ＡＢＣＤＥＦＧ」の入力枠の中の周辺は、意味不明なパターンが薄く表示されたままの状態となっている。
【００２１】
図４を参照して、フィルター付きメガネを掛けて入力画面に向い、指定ボタンを押して入力を開始した時の、入力枠の状態の他の一例について説明する。
フィルターＸ付きメガネを掛けた入力者は、まず、濃く表示された指定ボタン「Ｘ」を選択してクリックする。入力者は、マウスによって指定ボタン１２の中の「Ｚ」をクリックした後、濃く表示された入力枠２に、例えば、覗き見されたくない項目のデータを入力する。
入力以前は、入力枠２の中は「意味不明なパターン」が表示されていたが、覗き見されたくない項目のデータの入力を開始すると、入力枠には「ＡＢＣＤＥＦＧ」と、キーボードから入力された内容そのものが、指示ボタン１２と同一の濃度で表示される。
キーボードから入力され、入力枠に表示されたデータ「ＡＢＣＤＥＦＧ」の入力枠の中の周辺は、意味不明なパターンが薄く表示されたままの状態となっている。
【００２２】
図５に示す一例は、図４における、フィルターＸ付きメガネの代りに、フィルターＹ付きメガネを選択し、指定ボタン「Ｚ」の代りに「Ｙ」を押して入力する例で、詳細な説明は省略する。
【産業上の利用可能性】
【００２３】
本発明の覗き見防止機能付き入力画面及び入力方法は、複数の人間が居る場所で、パソコン等で情報の入力を行う全ての場合に利用できる。
【図面の簡単な説明】
【００２４】
【図１】本発明の覗き見防止機能付き入力画面及び入力方法について説明するための図である。
【図２】入力画面の全体構成について説明するための図である。
【図３】フィルター付きメガネを掛けて入力画面に向い、指定ボタンを押して入力を開始した時の入力枠の、一例について説明するための図である。
【図４】フィルター付きメガネを掛けて入力画面に向い、指定ボタンを押して入力を開始した時の入力枠の、他の一例について説明するための図である。
【図５】フィルター付きメガネを掛けて入力画面に向い、指定ボタンを押して入力を開始した時の入力枠の、他の一例について説明するための図である。
【符号の説明】
【００２５】
１      表示部
２      入力枠
３      入力部
１０    表示画面
１１    表示色
１２    指定ボタン
１３    フィルターＸ付きメガネ
１４    フィルターＹ付きメガネ
１５    フィルターＺ付きメガネ
２１    会員番号入力枠
２２    暗証番号入力枠
２３    氏名入力枠
２４    住所入力枠
１１１  ダミー表示色（パターン）Ａ
１１２  ダミー表示色（パターン）Ｂ
２００  注意事項
２１０  入力項目
【図１】
2005301367.tif 000003
【図２】
2005301367.tif 000004
【図３】
2005301367.tif 000005
【図４】
2005301367.tif 000006
【図５】
2005301367.tif 000007